(57)【要約】【課題】防振効果を有する指紋認証装置を提供する。【解決手段】外層が弾力伸縮性を有し、一体成型されたケーシング２１によって被覆されており、ケーシング２１は一つ以上の不規則な縁状で突出した凸部２１１、第１の切欠２１２および第２の切欠２１５を有し、第１の切欠２１２には凹状の平滑板２１３が固定され、平滑板２１３には指紋読取エリア２１４が設けられ、第２の切欠２１５から指紋認証装置部２２がケーシング２１内部に収容され、指紋認証装置部２２には指紋読取器２２１が設けられ、指紋読取器２２１には指紋読取部２２２が設けられ、指紋読取部２２２は平滑板２１３に設けられた指紋読取エリア２１４に対応している。【選択図】  図３
0003118768.tif 000002
【実用新案登録請求の範囲】
【請求項１】
ケーシング、平滑板および指紋認証装置部を備え、
前記ケーシングは、弾性伸縮性を有し、一体成型されたケーシングであり、前記ケーシングには第１の切欠が設けられており、
前記平滑板は、前記ケーシングの第１の切欠に設置固定されており、
前記指紋認証装置部は、前記ケーシング内部に収容されている
ことを特徴とする防振効果付き指紋認証装置。
【請求項２】
前記ケーシングは、一つ以上の不規則な縁状で突出した凸部を有することを特徴とする請求項１記載の防振効果を有する指紋認証装置。
【請求項３】
前記ケーシングには、第２の切欠が設けられていることを特徴とする請求項１記載の防振効果を有する指紋認証装置。
【請求項４】
前記指紋認証装置部の表面周囲には、透明柔軟性ゴムが覆設され、前記指紋認証装置部の一端にはＵＳＢプラグが設けられ、前記ＵＳＢプラグには弾性伸縮性を有し、一体成型されたカバーが嵌合されていることを特徴とする請求項１記載の防振効果を有する指紋認証装置。
【考案の詳細な説明】
【技術分野】
【０００１】
本考案は指紋認証装置に関し、特にぶつかったときに振動が発生するのを防止でき、また、指紋の読取りをスムーズに行なうことができ、保護効果と人体工学に符合する効果とを兼ね備えた防振効果を有する指紋認証装置に関する。
【背景技術】
【０００２】
図１、２に示すように、従来技術による指紋認証装置は硬質ケーシング１１および指紋認証装置部１２から構成される。採用されているケーシングは弾性を持たない硬質ケーシング１１であるので、指紋認証装置が落下などによる衝撃を受けた場合、内部の線路が接触不良、ショートまたは破損などの問題を起こす。また、指を長時間指紋認証装置部１２に強く押圧して指紋読取りを行なわなければならないので、非常に不便であった。
【０００３】
本考案の考案者は上述の各欠点に鑑み、長年に渡る改良と研究を重ね、ついに本考案である防振効果を有する指紋認証装置を案出した。
【考案の開示】
【考案が解決しようとする課題】
【０００４】
本考案の目的は、外層が弾力伸縮性を有し、一体成型されたケーシングによって被覆されており、ケーシングは一つ以上の不規則な縁状で突出した凸部、第１の切欠および第２の切欠を有し、第１の切欠には凹状の平滑板が固定され、平滑板には指紋読取エリアが設けられ、第２の切欠から指紋認証装置部がケーシング内部に収容され、指紋認証装置部には指紋読取器が設けられ、指紋読取器には指紋読取部が設けられ、指紋読取部は平滑板に設けられた指紋読取エリアに対応しており、弾性を有するケーシングに設けられた一つ以上の不規則な縁状で突出した凸部および第１の切欠に固定された平滑板の凹状部分による保護によって、ぶつかったときに振動が発生するのを防止し、ケーシング内部の指紋認証装置部を保護できる防振効果を有する指紋認証装置を提供することにある。
本考案のもう一つの目的は、ケーシングの平滑板の凹状部分の斜度によって、指紋の読取りをスムーズに行なうことができ、人体工学に符合する防振効果を有する指紋認証装置を提供することにある。
【課題を解決するための手段】
【０００５】
上記課題を解決するために、請求項１の考案は、ケーシング、平滑板および指紋認証装置部を備え、ケーシングは、弾性伸縮性を有し、一体成型されたケーシングであり、ケーシングには第１の切欠が設けられており、平滑板は、ケーシングの第１の切欠に設置固定されており、指紋認証装置部は、ケーシング内部に収容されていることを特徴とする防振効果付き指紋認証装置である。
【０００６】
請求項２の考案は、ケーシングは、一つ以上の不規則な縁状で突出した凸部を有することを特徴とする請求項１記載の防振効果を有する指紋認証装置である。
【０００７】
請求項３の考案は、ケーシングには、第２の切欠が設けられていることを特徴とする請求項１記載の防振効果を有する指紋認証装置である。
【０００８】
請求項４の考案は、指紋認証装置部の表面周囲には、透明柔軟性ゴムが覆設され、指紋認証装置部の一端にはＵＳＢプラグが設けられ、ＵＳＢプラグには弾性伸縮性を有し、一体成型されたカバーが嵌合されていることを特徴とする請求項１記載の防振効果を有する指紋認証装置である。
【考案の効果】
【０００９】
弾性を有する一体成型されたケーシングに設けられた一つ以上の不規則な縁状の突出した凸部、指紋認証装置部の表面周囲に覆設された透明柔軟性ゴムおよび第１の切欠に固定された平滑板の凹状部分の保護によって、ぶつかったときに振動が発生するのを防止し、ケーシング内の指紋認証装置部を保護する。また、ケーシングの平滑板に設けられた凹状部分の斜度によって指紋読取器による指紋読取りをスムーズに行なうことができ、人体工学に符合する。
【考案を実施するための最良の形態】
【００１０】
本考案の目的、特徴および効果を示す実施例を図に沿って詳細に説明する。
【００１１】
図３は本考案による防振効果を有する指紋認証装置２を示す立体分解図である。図から分かるように、本考案による指紋認証装置２は、ケーシング２１および指紋認証装置部２２を備える。
【００１２】
ケーシング２１は、弾力伸縮性を有し、一体成型されており、伸縮性を有するので指紋認証装置部２２の最外層に被覆されている。ケーシング２１は一つ以上の不規則な縁状で突出した凸部２１１、第１の切欠２１２および第２の切欠２１５を有し、第１の切欠２１２の内径には一つ以上の凹溝２１７が設けられ、図３、４に示すように、凹溝２１７には凹状の平滑板２１３の周縁に設けられた環状凸部２１６が嵌入され、平滑板２１３が脱落するのを防止し、安定的に固定している。平滑板２１３には指紋読取エリア２１４が設けられ、第２の切欠２１５から指紋認証装置部２２がケーシング２１内部に収容されている。
【００１３】
指紋認証装置部２２はケーシング２１に設けられた第２の切欠２１５からケーシング２１内部に収容され、図５に示すように、指紋認証装置部２２の表面周囲には透明柔軟性ゴム２２５が覆設されており、指紋認証装置部２２とケーシング２１との隙間を埋め、第２の減振効果を達成している。指紋認証装置部２２の一端にはＵＳＢプラグ２２３が設けられ、図６に示すように、ＵＳＢプラグ２２３はケーシング２１の第２の切欠２１５から外部に露出している。ＵＳＢプラグ２２３には弾性伸縮性を有し、一体成型されたカバー２２４を嵌合して保護することができる。また、指紋認証装置部２２には指紋読取器２２１が設けられ、指紋読取器２２１には指紋読取部２２２が設けられ、指紋読取部２２２は平滑板２１３に設けられた指紋読取エリア２１４と対応しており、平滑板２１３に接触した指紋が読取られ、読取られた指紋データは指紋認証装置部２２に送られて指紋認証が行なわれる。
【００１４】
図３、５、７に示すように、弾性を有し、一体成型されたケーシング２１に設けられた一つ以上の不規則な縁状の突出した凸部２１１、指紋認証装置部２２の表面周囲に覆設された透明柔軟性ゴム２２５および第１の切欠２１２に固定された平滑板２１３の凹状部分の保護によって、ぶつかったときに振動が発生するのを防止し、ケーシング２１内の指紋認証装置部２２を保護する。
【００１５】
ケーシング２１の平滑板２１３に設けられた凹状部分の斜度によって指紋読取器２２１による指紋読取りをスムーズに行なうことができ、人体工学に符合する。
【００１６】
本考案の進歩性および実用性をさらに明らかにするために従来技術との比較を下記に示す。
【００１７】
従来技術の欠点
１  ケーシングはぶつかったときに振動が発生するのを防止できない。
２  ぶつかったときに発生する振動によって線路の接触不良、ショートおよび破損が容易に発生する。
３  指を指紋読取器に強く圧迫させる必要がある。
４  人体工学に符合しない。
【００１８】
本考案の長所
１  ケーシング２１がぶつかったときに振動が発生するのを防止する。
２  ぶつかっても振動が発生しないので、線路の接触不良、ショートおよび破損が発生しない。
３  指を指紋読取器２２１に軽く触れるだけで指紋の読取りができる。
４  人体工学に符合する。
【図面の簡単な説明】
【００１９】
【図１】従来技術による指紋認証装置を示す上面図である。
【図２】従来技術による指紋認証装置がぶつかったときの状態を示す模式図である。
【図３】本考案による指紋認証装置を示す立体分解図である。
【図４】本考案による指紋認証装置の平滑板を示す部分拡大図である。
【図５】本考案による指紋認証装置の指紋認証装置部の表面周囲に覆設された透明柔軟性ゴムを示す透視図である。
【図６】本考案による指紋認証装置の完成後の状態を示す斜視図である。
【図７】本考案による指紋認証装置がぶつかったときの状態を示す模式図である。
【符号の説明】
【００２０】
２      指紋認証装置
２１    ケーシング
２１１  凸部
２１２  第１の切欠
２１３  平滑板
２１４  指紋読取エリア
２１５  第２の切欠
２１６  環状凸部
２１７  凹溝
２２    指紋認証装置部
２２１  指紋読取器
２２２  指紋読取部
２２３  ＵＳＢプラグ
２２４  カバー
２２５  透明柔軟性ゴム
【図１】
0003118768.tif 000003
【図２】
0003118768.tif 000004
【図３】
0003118768.tif 000005
【図４】
0003118768.tif 000006
【図５】
0003118768.tif 000007
【図６】
0003118768.tif 000008
【図７】
0003118768.tif 000009